(57)【要約】      （修正有）【課題】地震で床躯体間が広くなったり、狭くなるように揺れ動いても、カバープレートに加わる荷重で撓んだりするのを確実に防止することができる床用目地装置を提供する。【解決手段】目地部２を介して設けられた床面に、目地部に開口するように設けられた一対の目地プレート支持凹部４と、一対の目地プレート支持凹部４のほぼ中央部に目地部２を覆う目地プレート６と、一対の目地プレート支持凹部４を目地プレート６がスライド移動できるように左右の躯体３に取付けられた一対のカバープレート７と、目地プレート６の端部に枢支された一対のパンタグラフ形状の伸縮リンク機構１０と、パンタグラフ形状の伸縮リンク機構の中央枢支部、両側枢支部のいずれか一方、あるいは両方に一対の目地プレート支持凹部４と一対のカバープレート７の底面と当接し、カバープレート７に加わる荷重で撓むのを防止できるように取付けられた複数個の支承ローラ１３とで構成する。【選択図】図２
2014240557.tif 000002
【特許請求の範囲】
【請求項１】
目地部を介して設けられた左右の躯体の目地部側の床面に、該目地部に開口するように設けられた一対の目地プレート支持凹部と、この一対の目地プレート支持凹部のほぼ中央部に両端部が位置して前記目地部を覆う、該一対の目地プレート支持凹部内をスライド移動可能な目地プレートと、前記一対の目地プレート支持凹部を前記目地プレートがスライド移動できるように覆うように前記左右の躯体に取付けられた一対のカバープレートと、前記目地プレートの端部に一端部が枢支され、他端部が前記一対の目地プレート支持凹部の反目地部側に枢支された少なくとも一対のパンタグラフ形状の伸縮リンク機構と、このパンタグラフ形状の伸縮リンク機構の中央枢支部、両側枢支部のいずれか一方、あるいは両方に前記一対の目地プレート支持凹部と前記一対のカバープレートの底面と当接し、該一対のカバープレートに加わる荷重で撓むのを防止できるように取付けられた複数個の支承ローラとを備えたことを特徴とする床用目地装置。
【請求項２】
目地プレートは該目地プレートの中央部が目地部の中央部に常時位置させることができるように両端部が左右の床躯体の目地部側に取付けられた目地プレート中央維持機構が取付けられていることを特徴とする請求項１記載の床用目地装置。
【発明の詳細な説明】
【技術分野】
【０００１】
本発明は目地部を介して設けられた左右の躯体間の床部分の目地部を覆う床用目地装置に関する。
【背景技術】
【０００２】
従来、目地プレートの両端部を覆う一対のカバープレートを用いた床用目地装置は、一対のカバープレートに大きな荷重が加わると撓むのを防止するため、隙間の中央部にカバープレート荷重支持具を位置させるために左右のスプリングを用いている。
【０００３】
このため、カバープレート荷重支持具を目地プレートの両端部の隙間の中央部に位置させるのは、カバープレートに荷重が加わっていないと、比較的楽に位置させることができるが、カバープレートに荷重が加わると、その荷重の加わる位置によって移動して、効率よくカバープレート荷重支持具で荷重を支持することができず、カバープレートが撓んでしまうという欠点があった。
【先行技術文献】
【特許文献】
【０００４】
【特許文献１】特許第３４４５２０８号公報
【発明の概要】
【発明が解決しようとする課題】
【０００５】
本発明は以上のような従来の欠点に鑑み、地震で左右の床躯体間の目地部が広くなったり、狭くなるように揺れ動いても、一対のカバープレートを確実に等間隔で支持して、該カバープレートに加わる荷重で撓んだりするのを確実に防止することができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の躯体の目地部側の床面に、該目地部に開口するように設けられた一対の目地プレート支持凹部と、この一対の目地プレート支持凹部のほぼ中央部に両端部が位置して前記目地部を覆う、該一対の目地プレート支持凹部内をスライド移動可能な目地プレートと、前記一対の目地プレート支持凹部を前記目地プレートがスライド移動できるように覆うように前記左右の躯体に取付けられた一対のカバープレートと、前記目地プレートの端部に一端部が枢支され、他端部が前記一対の目地プレート支持凹部の反目地部側に枢支された少なくとも一対のパンタグラフ形状の伸縮リンク機構と、このパンタグラフ形状の伸縮リンク機構の中央枢支部、両側枢支部のいずれか一方、あるいは両方に前記一対の目地プレート支持凹部と前記一対のカバープレートの底面と当接し、該一対のカバープレートに加わる荷重で撓むのを防止できるように取付けられた複数個の支承ローラとで床用目地装置を構成している。
【発明の効果】
【０００８】
以上の説明から明らかなように、本発明にあっては次に列挙する効果が得られる。
（１）請求項１により、目地プレートの端部と目地プレート支持凹部の反目地部側との間をパンタグラフ形状の伸縮リンク機構の中央枢支部、両側枢支部のいずれか一方あるいは両方に取付けられた複数個の支承ローラで、所定間隔でカバープレートを支持することができる。
したがって、カバープレートを確実に支持することができ、撓んだりするのを効率よく阻止することができる。
（２）前記（１）によって、地震で目地プレートの端部と目地プレート支持凹部の反目地部側との間の寸法が変化しても、パンタグラフ形状の伸縮リンクが伸縮して、複数個の支承ローラを等間隔に位置させることができる。
したがって、カバープレートを等間隔で複数個の支承ローラで支持できるので、設計通りのカバープレートを支持することができる。
（３）前記（１）により、目地プレートの両端部に複数個の支承ローラを設けた少なくとも一対のパンタグラフ形状の伸縮リンク機構を設置するだけでよいので、構造が簡単で、容易に設置作業を行なうことができる。
（４）請求項２も前記（１）〜（３）と同様な効果が得られるとともに、目地プレート中央維持機構によって、目地プレートの中央部が目地部の中央部に常時位置するため、左右の目地プレートの端部と目地プレート支持凹部の反目地部側との間の寸法が同じ寸法となり、左右が同じ寸法間隔でカバープレートを複数個の支承ローラで支持することができる。
【図面の簡単な説明】
【０００９】
【図１】本発明を実施するための第１の形態の平面図。
【図２】図１の２−２線に沿う断面図。
【図３】本発明を実施するための第１の形態のカバープレートを外した状態の平面図。
【図４】本発明を実施するための第１の形態の支承ローラが取付けられた伸縮リンク機構の説明図。
【図５】本発明を実施するための第１の形態の地震で目地部が狭くなった動作説明図。
【図６】本発明を実施するための第１の形態の地震で目地部が広くなった動作説明図。
【図７】本発明を実施するための第２の形態の平面図。
【図８】図７の８−８線に沿う断面図。
【図９】本発明を実施するための第２の形態の支承ローラが取付けられた伸縮リンク機構の説明図。
【図１０】本発明を実施するための第３の形態の平面図。
【図１１】図１０の１１−１１線に沿う断面図。
【図１２】本発明を実施するための第３の形態の支承ローラが取付けられた伸縮リンク機構の説明図。
【図１３】本発明を実施するための第４の形態の平面図。
【図１４】図１３の１４−１４線に沿う断面図。
【図１５】本発明を実施するための第４の形態の支承ローラが取付けられた伸縮リンク機構の説明図。
【発明を実施するための形態】
【００１０】
以下、図面に示す本発明を実施するための形態により、本発明を詳細に説明する。
【００１１】
図１ないし図６に示す本発明を実施するための第１の形態において、１は目地部２を介して設けられた左右の免震建物や通路等の左右の躯体３、３間の床部分の目地部２を覆う本発明の床用目地装置で、この床用目地装置１は前記左右の躯体３、３の目地部側の床面３ａ、３ａに、該目地部２に開口するように設けられた一対の目地プレート支持凹部４、４と、この一対の目地プレート支持凹部４、４のほぼ中央部に両端部が位置して、前記目地部２を覆う両端部の底面に複数個の支承ローラ５が設けられた、該一対の目地プレート支持凹部４、４内をスライド移動可能な目地プレート６と、前記一対の目地プレート支持凹部４、４を前記目地プレート６がスライド移動できるよう覆うように、前記左右の躯体３、３に取付けられた一対のカバープレート７、７と、前記目地プレート６の端部に一端部が枢支ピン８、８で枢支され、他端部が前記一対の目地プレート支持凹部４、４の反目地部側の床躯体あるいは該部位近傍の目地プレート支持凹部４、４に枢支ピン９、９で枢支された少なくとも一対、本発明の実施の形態では二対のパンタグラフ形状の伸縮リンク機構１０、１０、１０、１０と、このパンタグラフ形状の伸縮リンク機構１０、１０、１０、１０の中央枢支部１１、両側枢支部１２、１２取付けられた、前記一対の目地プレート支持凹部４、４と前記一対のカバープレート７、７の底面と当接し、該一対のカバープレート７、７に加わる荷重で撓むのを防止できる複数個の支承ローラ１３、１３と、前記左右の躯体３、３の目地部側に両端部が枢支ピン１４、１４で枢支され、中央部の枢支部１１、１１が前記目地プレート６の中央部の底面に枢支ピン１５、１５で枢支されたパンタグラフ形状の目地プレート中央維持機構１６、１６とで構成されている。
【００１２】
前記一対の目地プレート支持凹部４、４は左右の躯体３、３の目地部側の床面３ａ、３ａに直接形成して設けてもよく、あるいは目地部側の底面に凹部を形成し、該凹部を凹部ができるように金属材製の下地レールを固定して設けたものであってもよい。
【００１３】
前記パンタグラフ形状の伸縮リンク機構１０、１０、１０、１０は、図４に示すように四角枠が２個形成されるリンク機構１７と、このリンク機構１７の両端部の枢支部１１、１１に枢支ピン８、９で取付けられた目地プレート６の端部や目地プレート支持凹部４、４の反目地部側に複数本のビス１８等で固定される取付け具１９、１９と、前記リンク機構１７の中央枢支部１１および両側枢支部１２、１２、１２、１２に枢支された上下部に支承ローラ１３、１３を取付けることができる、両端部にねじ部２０、２０が形成された筒状の枢支軸２１、２１、２１、２１、２１とで構成されている。
【００１４】
複数個の支承ローラ１３は図４に示すように、前記パンタグラフ形状の伸縮リンク機構１０の枢支軸２１のねじ部２０に螺合固定することができるねじ棒２２が形成されたローラ支持部材２３と、このローラ支持部材２３に回転可能に取付けられたローラ２４とで構成されている。
【００１５】
上記構成の床用目地装置１は、通常時には左右の躯体３、３間の目地部２は図１および図２に示すように両端部がカバープレート７、７で覆われた目地プレート６で覆われており、かつ一対のカバープレート７、７は二対の伸縮リンク機構１０、１０，１０、１０に取付けられた複数個の支承ローラ１３によって所定間隔で支持されているため、人や大きな荷重が加わる台車や車両が通行しても、カバープレート７、７が撓むことなく、安全に通行することができる。
【００１６】
地震で目地部２が狭くなるように左右の躯体３、３が揺れ動くと、図５に示すように目地プレート中央維持機構１６、１６によって目地プレート６の中央部が目地部２の中央部に維持されるため、目地プレート６の両端部と目地プレート支持凹部４、４の反目地部側との間が小さくなるため、二対のパンタグラフ形状の伸縮リンク機構１０、１０、１０、１０が収縮し、カバープレート７、７を複数個の等間隔で少し狭くなった支承ローラ１３、１３で支承し、その揺れ動きを吸収するとともに、カバープレート７、７に荷重が加わっても、撓んだりすることがない。
【００１７】
地震で目地部２が広くなるように左右の躯体３、３が揺れ動くと、図６に示すように目地プレート中央維持機構１６、１６によって、目地プレート６の中央部が目地部２の中央部に維持されるため、目地プレート６の両端部と目地プレート支持凹部４、４の反目地部側との間が大きくなるため、二対のパンタグラフ形状の伸縮リンク機構１０、１０、１０、１０が伸長し、カバープレート７、７を複数個の等間隔で少し広くなった支承ローラ１３、１３で支承し、その揺れ動きを吸収するとともに、複数個の支承ローラ１３、１３は等間隔で少し広くなるだけであるため、大きな荷重がカバープレート７、７に加わっても、撓んだりするのを防止できる。
【００１８】
なお、地震の揺れ動きが停止すると、目地プレート中央維持機構１６および二対のパンタグラフ形状の伸縮リンク機構１０、１０、１０、１０によって元の状態へ自動的に戻る。
【発明を実施するための異なる形態】
【００１９】
次に、図７ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２０】
図７ないし図９に示す本発明を実施するための第２の形態において、前記本発明を実施するための第１の形態と主に異なる点は、目地プレート６の両端部に、枢支部に支承ローラ１３、１３が取付けられた一対のパンタグラフ形状の伸縮リンク機構１０、１０を用いた点で、このように構成した床用目地装置１Ａにしても、前記本発明を実施するための第１の形態と同様な作用効果が得られる。
【００２１】
なお、この場合には一対のパンタグラフ形状の伸縮リンク機構１０、１０の両端部の枢支部(支承ローラ１３、１３の位置)は中央部と両側の中間部に位置するものを用いると良い。
【００２２】
図１０ないし図１２に示す本発明を実施するための第３の形態において、前記本発明を実施するための第１の形態と主に異なる点は、両側枢支部１２、１２にだけ支承ローラ１３、１３を取付けた二対のパンタグラフ形状の伸縮リンク機構１０Ａ、１０Ａ、１０Ａ、１０Ａを用いた点で、このような二対のパンタグラフ形状の伸縮リンク機構１０Ａ、１０Ａ、１０Ａ、１０Ａを用いて構成した床用目地装置１Ｂにしても、前記本発明を実施するための第１の形態と同様な作用効果が得られる。
【００２３】
図１３ないし図１５に示す本発明を実施するための第４の形態において、前記本発明を実施するための第１の形態と主に異なる点は、中央枢支部１１、１１にだけ支承ローラ１３、１３を取付けた二対のパンタグラフ形状の伸縮リンク機構１０Ｂ、１０Ｂ、１０Ｂ、１０Ｂを用いた点で、このような二対のパンタグラフ形状の伸縮リンク機構１０Ｂ、１０Ｂ、１０Ｂ、１０Ｂを用いて構成した床用目地装置１Ｃにしても、前記本発明を実施するための第１の形態と同様な作用効果が得られる。
【００２４】
なお、前記本発明の各実施の形態では２個の四角枠が形成されるパンタグラフ形状の伸縮リンク機構１０、１０Ａ、１０Ｂを用いたが、本発明はこれに限らず、１個あるいは３個以上の四角枠が形成されるパンタグラフ形状の伸縮リンク機構を用いても、同様な作用効果が得られる。
【００２５】
また、目地プレート６の中央部が目地部の中央部に常時位置しなくても使用できる所では、目地プレート中央維持機構１６を用いなくてもよい。
【００２６】
ただし、この場合、目地プレート６の両端部が目地プレート支持凹部４、４より脱落しないようにストッパーを用いると、安全に使用することができる。
【産業上の利用可能性】
【００２７】
本発明は目地部を介して設けられた左右の躯体間の床部分の目地部を覆う床用目地装置を製造する産業で利用される。
【符号の説明】
【００２８】
１、１Ａ、１Ｂ、１Ｃ：床用目地装置、
２：目地部、        ３：躯体、
４：目地プレート支持凹部、  ５：ローラ、  
６：目地プレート、      ７：カバープレート、
８：枢支ピン、      ９：枢支ピン、
１０、１０Ａ、１０Ｂ：パンタグラフ形状の伸縮リンク機構、
１１：中央枢支部、      １２：側枢支部、
１３：支承ローラ、      １４：枢支ピン、
１５：枢支ピン、      
１６：目地プレート中央維持機構、
１７：リンク機構、      １８：ビス、
１９：取付け具、      ２０：ねじ部、
２１：枢支軸、      ２２：ねじ棒、
２３：ローラ支持部材、    ２４：ローラ。
【図１】
2014240557.tif 000003
【図２】
2014240557.tif 000004
【図３】
2014240557.tif 000005
【図４】
2014240557.tif 000006
【図５】
2014240557.tif 000007
【図６】
2014240557.tif 000008
【図７】
2014240557.tif 000009
【図８】
2014240557.tif 000010
【図９】
2014240557.tif 000011
【図１０】
2014240557.tif 000012
【図１１】
2014240557.tif 000013
【図１２】
2014240557.tif 000014
【図１３】
2014240557.tif 000015
【図１４】
2014240557.tif 000016
【図１５】
2014240557.tif 000017